(57)【要約】【課題】プラスチック内袋を紙外袋から容易に抜き出せるようにし、更には構成を簡単にして製造を容易にした複合包装袋を提供する。【解決手段】少なくともプラスチック内袋１と紙外袋２とからなり、内容物が充填され充填口７が封止された包装状態から、前記内容物を収容しているプラスチック内袋１を前記紙外袋２から抜き出し可能となるように構成している複合包装袋において、底封止部９近傍に前記紙外袋２とプラスチック内袋１を貫通する貫通口を形成して掴み口１０とし、前記プラスチック内袋１の掴み口１０となる貫通口の周辺を熱融着した。【選択図】　図１
2004090941.tif 000002
【特許請求の範囲】
【請求項１】
少なくともプラスチック内袋と紙外袋とからなり、内容物が充填され充填口が封止された包装状態から、前記内容物を収容しているプラスチック内袋を前記紙外袋から抜き出し可能となるように構成している複合包装袋において、底封止部近傍に前記紙外袋とプラスチック内袋を貫通する貫通口を形成して掴み口とし、前記プラスチック内袋の掴み口となる貫通口の周辺を熱融着したことを特徴とする複合包装袋。
【請求項２】
前記プラスチック内袋に、掴み口と内容物収容部を仕切る仕切り部を熱融着により形成したことを特徴とする請求項１に記載の複合包装袋。
【発明の詳細な説明】
【０００１】
【発明の属する技術分野】
本発明は、防水性・防湿性が要求される粉体・粒体・液体等を包装するための複合包装袋に関する。
【０００２】
【従来の技術】
防水性・防湿性が要求される粉体・粒体・液体等を包装するための包装袋として、突き刺し強度、摩擦、加工性に優れた紙外袋と防水性・防湿性に優れたプラスチック内袋からなる複合包装袋が多く使用されている。かかる複合包装袋は、内容物を充填して包装した状態で、倉庫に保管され、トラック等の搬送手段を経て、例えば、食品会社や製薬会社等の工場に運ばれ、開封作業場で開封され、内容物が取り出されるといった扱いがなされている。前記複合包装袋は、搬送途中でその表面が汚れ易い環境にあり、特に食品を始めとして、内容物が汚れや異物の混入を避けることを厳しく求められているものについては、複合包装袋に付着した埃や汚れの除去に注意しなければならない。
【０００３】
近年、このような汚れや異物の混入を避けることを厳しく求められている内容物を収容する複合包装袋として、内容物が充填され充填口が封止された包装状態から、前記内容物を収容しているプラスチック内袋を前記紙外袋から抜き出し可能となるように構成されたものが製造され使用されており、クリーン化された領域にはプラスチック内袋を前記紙外袋から抜き出して運ばれている。
【０００４】
前記内容物を収容しているプラスチック内袋を紙外袋から抜き出し可能となるように構成された複合包装袋は図５、図６に示すように、底部３が熱融着によりシールされたプラスチック内袋１とクラフト紙からなる紙外袋２で構成され、紙外袋２の前記プラスチック内袋１の底部３側は、該プラスチック内袋２の底部３と干渉しないように底部オーバーテープ５により封止され、この底部オーバーテープ５はカットテープ６により切断可能な構造となっている。そして、このように構成された複合包装袋内に内容物を充填したら、紙外袋２の上から加熱し、内側にあるプラスチック内袋１の充填口７を熱融着してシールし、その後、紙外袋２の前記プラスチック内袋１の充填口７側を、該プラスチック内袋１と干渉しないように充填部オーバーテープ１６により封止して包装している。
【０００５】
このように包装された複合包装袋の紙外袋２から内容物を収容しているプラスチック内袋１を抜き出す場合、紙外袋２の前記プラスチック内袋１の底部３側の底部オーバーテープ５をカットテープ６により切断して紙外袋２のプラスチック内袋１の底部３側を開封し、プラスチック内袋１を引き出すようにしている。
【０００６】
【発明が解決しようとする課題】
しかしながら、前記従来のプラスチック内袋１を紙外袋２から抜き出し可能となるように構成された複合包装袋では、製造の複雑化を招くといった理由から、プラスチック内袋１を紙外袋２から抜き出すための手段については全く考慮されておらず、このため紙外袋２からプラスチック内袋１を抜き出し難く、特に内容物を収容したプラスチック内袋１の重量が１０ｋｇ〜２０ｋｇもあるような場合は、紙外袋２からのプラスチック内袋１の抜き出しは極めて困難な作業となっているといった問題があった。
【０００７】
本発明の目的は、プラスチック内袋を紙外袋から容易に抜き出せるようにし、更には構成を簡単にして製造を容易にした複合包装袋を提供することにある。
【０００８】
【課題を解決するための手段】
上記目的を達成するため、請求項１に記載の発明は、少なくともプラスチック内袋と紙外袋とからなり、内容物が充填され充填口が封止された包装状態から、前記内容物を収容しているプラスチック内袋を前記紙外袋から抜き出し可能となるように構成している複合包装袋において、底封止部近傍に前記紙外袋とプラスチック内袋を貫通する貫通口を形成して掴み口とし、前記プラスチック内袋の掴み口となる貫通口の周辺を熱融着したことを特徴とする。
【０００９】
かかる構成から、底封止部近傍に前記紙外袋とプラスチック内袋を貫通する貫通口を形成して掴み口とし、前記プラスチック内袋の掴み口となる貫通口の周辺を熱融着したので、プラスチック内袋に収容された内容物が掴み口から漏れるおそれはなく、そして、前記プラスチック内袋の貫通口の周辺の熱融着により掴み口の周辺が強化され、掴み口としての機能を発揮し、複合包装袋の搬送にあって、前記紙外袋とプラスチック内袋を貫通する貫通口からなる掴み口を掴むことにより搬送作業が可能となり搬送作業を容易とする。また、紙外袋から内容物を収容しているプラスチック内袋を抜き出す場合、紙外袋の前記プラスチック内袋の底部オーバーテープをカットテープにより切断して紙外袋のプラスチック内袋の底部側を開封し、プラスチック内袋に形成されている貫通口からなる掴み口を掴むことにより、プラスチック内袋を紙外袋から容易に抜き出すことができる。そして、紙外袋から抜き出したプラスチック内袋は、掴み口を掴むことによって容易に所定の場所に運ぶことができる。
【００１０】
更には、前記のように構成された複合包装袋は、前記従来の複合包装袋の底封止部近傍に前記紙外袋とプラスチック内袋を貫通する貫通口を形成し、紙外袋の上から加熱して、プラスチック内袋の貫通口の周辺を熱融着するといった簡単な工程を加えることにより容易に製造することができる。
【００１１】
請求項２に記載の発明は、請求項１に記載の前記プラスチック内袋に、掴み口と内容物収容部を仕切る仕切り部を熱融着により形成したことを特徴とする。
【００１２】
かかる構成から、プラスチック内袋に収容した内容物は仕切り部により掴み口の周囲に入らないので、プラスチック内袋から内容物を容易に且つ確実に取り出すことができる。
【００１３】
【発明の実施の形態】
以下、本発明に係る複合包装袋の実施の形態の一例を図１乃至図４により説明する。図１は本発明に係る複合包装袋の一部切欠平面図、図２は図１のＡ−Ａ線拡大断面図、図３は図１に示す複合包装袋に内容物を収容して包装した状態を示す一部切欠平面図、図４はプラスチック内袋を紙外袋から抜き出す状態を示す説明図である。
【００１４】
図面において、１はプラスチック内袋、２は前記プラスチック内袋１の外層を構成する紙外袋である。前記プラスチック内袋１は、底部３が熱融着によりシールされている。４は底部シール部である。プラスチック内袋１にあっては、本例では低密度ポリエチレンフィルムが用いられているがこれに限定されるものではない。前記紙外袋２は、前記プラスチック内袋１を内包した状態で、内包したプラスチック内袋１の底部側が、該プラスチック内袋１の底部３と干渉しないように底部オーバーテープ５により封止されている。この底部オーバーテープ５は、底部オーバーテープ５とプラスチック内袋１の底部３との間に配置したカットテープ６により切断可能な構造となっている。また、前記プラスチック内袋１と紙外袋２は、充填口７側で、接着剤８により、プラスチック内袋１を紙外袋２から抜き出し方向に引っ張ったとき、容易に剥離する程度の接着力で接着されている。前記紙外袋２はクラフト紙が用いられている。
【００１５】
前記内層と外層を構成する前記プラスチック内袋１と紙外袋２には、その底封止部９の近傍に位置して、前記プラスチック内袋１と紙外袋２を連なって貫通する貫通口が形成されて掴み口１０となっている。この掴み口１０は紙外袋２の上から型刃で打ち抜くことにより、容易に形成できる。また、前記プラスチック内袋１の掴み口１０となる貫通口の周辺は熱融着によりシールされている。このシールは紙外袋２の上から加熱することにより容易にシールすることができる。１１は掴み口シール部である。
【００１６】
更に、本例では、前記プラスチック内袋１には、掴み口１０と内容物収容部１２を仕切る仕切り部１３が熱融着により形成されている。１４は仕切り部１３を形成する仕切りシール部である。また、前記プラスチック内袋１の内容物収容部１２の側縁には、前記掴み口シール部１１の近傍に位置して、プラスチック内袋１の開封用のノッチ１５が形成されている。
【００１７】
このように構成された複合包装袋内に内容物を充填したら、紙外袋２の上から加熱し、内側にあるプラスチック内袋１の充填口７を熱融着してシールし、その後、紙外袋２の前記プラスチック内袋１の充填口７側を、該プラスチック内袋１と干渉しないように充填部オーバーテープ１６により封止して包装する。１７は充填部シール部である。
【００１８】
このように構成した本例の複合包装袋は、内層と外層を構成するプラスチック内袋１と紙外袋２に、その底封止部９の近傍に位置して、前記プラスチック内袋１と紙外袋２を連なって貫通する貫通口を形成して掴み口１０とし、前記プラスチック内袋１の掴み口１０となる貫通口の周辺を熱融着したので、プラスチック内袋１に収容された内容物が掴み口１０から漏れるおそれはなく、そして、前記プラスチック内袋１の貫通口の周辺の熱融着により掴み口１０の周辺が強化され、掴み口１０としての機能を発揮し、複合包装袋の搬送にあって、前記紙外袋２とプラスチック内袋１を貫通する貫通口からなる掴み口１０を掴むことにより搬送作業が可能となり搬送作業を容易とする。
【００１９】
また、紙外袋２から内容物を収容しているプラスチック内袋１を抜き出す場合、紙外袋２の前記プラスチック内袋１の底部３側の底部オーバーテープ５をカットテープ６により切断して紙外袋２のプラスチック内袋１の底部３側を開封し、プラスチック内袋１に形成されている貫通口からなる掴み口１０を掴むことにより、プラスチック内袋１を紙外袋２から容易に抜き出すことができる。そして、紙外袋２から抜き出したプラスチック内袋１は、掴み口１０を掴むことによって容易に所定の場所に運ぶことができる。
【００２０】
また、本例では前記プラスチック内袋１に、掴み口１０と内容物収容部１２を仕切る仕切り部１３を熱融着により形成したので、プラスチック内袋１に収容した内容物は仕切り部１３により掴み口１０の周囲に入ることが防止され、プラスチック内袋１から内容物を容易に且つ確実に取り出すことができる。また、前記プラスチック内袋１の内容物収容部１２の側縁には、前記仕切り部１３の近傍に位置して、プラスチック内袋１の開封用のノッチ１５が形成されているので、プラスチック内袋１の開封の際に、ノッチ１５から容易に引き裂き開封することができる。
【００２１】
更には、前記のように構成された複合包装袋は、前記従来の複合包装袋の底封止部近傍に前記紙外袋２とプラスチック内袋１を貫通する貫通口を形成し、紙外袋２の上から加熱して、プラスチック内袋１の貫通口の周辺を熱融着するといった簡単な工程を加えることにより容易に製造することができる。
【００２２】
また、紙外袋とプラスチック内袋の間に、保護部もしくは保護層などの中間層を入れて、掴み口部分の強化をさらに補強できる。
【００２３】
【発明の効果】
以上のように、本発明に係る複合包装袋によれば、プラスチック内袋を紙外袋から容易に抜き出すことができるとともに、複合包装袋や紙外袋から抜き出したプラスチック内袋の持ち運びを容易にすることができ、更には構成が簡単なので製造が容易であり安価に得ることができる。
【図面の簡単な説明】
【図１】本発明に係る複合包装袋の実施の形態の一例を示す一部切欠平面図。
【図２】図１のＡ−Ａ線拡大断面図。
【図３】図１に示す複合包装袋に内容物を収容して包装した状態を示す一部切欠平面図。
【図４】プラスチック内袋を紙外袋から抜き出す状態を示す説明図。
【図５】従来の複合包装袋に内容物を収容して包装した状態を示す一部切欠平面図。
【図６】図５のＢ−Ｂ線拡大断面図。
【符号の説明】
１　プラスチック内袋
２　紙外袋
３　底部
４　底部シール部
５　底部オーバーテープ
６　カットテープ
７　充填口
８　接着剤
９　底封止部
１０　掴み口
１１　掴み口シール部
１２　内容物収容部
１３　仕切り部
１４　仕切りシール部
１５　ノッチ
１６　充填部オーバーテープ
１７　充填部シール部
【図１】
2004090941.tif 000003
【図２】
2004090941.tif 000004
【図３】
2004090941.tif 000005
【図４】
2004090941.tif 000006
【図５】
2004090941.tif 000007
【図６】
2004090941.tif 000008